(57)【要約】【課題】  床材と壁との間、あるいは、床材と幅木との間の隙間を小さくした場合でも、床下空気層の共振の発生を抑制して遮音性能を十分に確保することのできる乾式二重床を提供する。【解決手段】  スラブ１０に接地される、クッション性を有する防振材１１ｃを備えた床支持具１１，１１の間のスラブ１０上に、高さの異なる不織布４１，４２を敷設し、この不織布４１，４２上に、平板状の拡散板３０を上記スラブ１０に対して傾けて配置することにより、床下空気層の厚さｈを連続的に変化させるようにするとともに、上記拡散板３０により上記床下空気層の振動を吸収させるようにした。【選択図】        図３
2005282273.tif 000002
【特許請求の範囲】
【請求項１】
基礎床上に床支持具を複数個配置し、これらの床支持具上に床材を配置するとともに、上記床材と壁面との間に所定の隙間を設けて成る乾式二重床において、上記基礎床と上記床材との間に、上記床材から所定の距離を離隔して、振動吸収部材を配置したことを特徴とする乾式二重床。
【請求項２】
上記基礎床上に所定の厚さの不織布を敷設したことを特徴とする請求項１に記載の乾式二重床。
【請求項３】
上記不織布を複数枚敷設するとともに、少なくとも２枚の不織布の厚さを異なる厚さとしたことを特徴とする請求項２に記載の乾式二重床。
【請求項４】
上記基礎床上に、両端部が弾性部材により支持された板状の部材を配置したことを特徴とする請求項１に記載の乾式二重床。
【請求項５】
上記板状の部材を上記基礎床に対して傾けて配置したことを特徴とする請求項４に記載の乾式二重床。
【請求項６】
上記板状の部材を複数枚配置したことを特徴とする請求項４または請求項５に記載の乾式二重床。
【発明の詳細な説明】
【技術分野】
【０００１】
本発明は、基礎床上に床支持具を複数個配置し、これらの床支持具上に床材を配置して成る乾式二重床の構造に関するものである。
【背景技術】
【０００２】
近年、集合住宅等の各種建造物においては、スラブ上に複数の床支持具を介して床材を配置して成る乾式二重床を施工する際に、床衝撃音を低減するため、例えば、図５に示すように、基礎床であるスラブ１０上にクッション性を有する防振材を備えた複数の床支持具１１を配置し、その上に複数の床部材１２Ａ，１２Ｂ，１２Ｃを積層した床材１２を配置するようにしている。このとき、壁１３側に位置する床材１２の端部１２ｅを、壁１３表面から２ｍｍ以上離した位置に設置された、木材（際根太）１４ａを支柱１４ｂと防振性の台座１４ｃで支持した防振際根太１４により支持することにより、壁際に家具等の重量物が設置された場合でも、床材１２の端部１２ｅが極力沈み込まないようにしている。
上記床支持具１１は、上部に床材１２を取付けるための矩形状の台座１１ａを有する支柱１１ｂと、この支柱１１ｂの下部を支持し、上記スラブ１０面に接地する、ゴム等より成る防振材１１ｃとから成り、床衝撃音等の上記床材１２からの振動が、スラブ１０を介して階下に伝達されるのを防止する。
また、上記床材１２からの振動（固定伝播音）が壁１３を介して階下に伝達されるのを防止するためと、上記床材１２の振動に起因する二重床下の空気共振音の発生を防止するために、床材１２と壁１３との間に空気連通路（隙間）１３ｓが設けられている。
また、部屋の隅に当たる壁１３の表面の上記床材１２の直上には、壁１３の表面に沿って幅木１５が取付けられるが、この幅木１５を取付ける際にも、床材１２と幅木１５との間に、上記空気連通路１３ｓに連通する空気連通路（隙間）１５ｓを設けるようにしている（例えば、特許文献１参照）。
【特許文献１】特開２００３−３３６３８６号公報
【発明の開示】
【発明が解決しようとする課題】
【０００３】
ところで、上記構成の乾式二重床においては、上記隙間１３ｓ，１５ｓの大きさは、大きければそれだけ床振動の伝播や、床材１２とスラブ１０との間の空気層（以下、床下空気層という）の共振に起因する空気共振音の発生を防止することができ、遮音性能は向上するが、部屋の構成上、隙間１３ｓ，１５ｓはできるだけ小さい方がよいので、現状では、上記隙間の大きさを２ｍｍ程度としている。
しかしながら、上記隙間１３ｓ，１５ｓが２ｍｍ程度では、上記空気共振音の発生を防止するには十分な大きさとはいえないため、上記床材１２の振動が床下空気層の共振周波数近傍の周波数を含んでいる場合には、上記床下空気層の共振が発生し、遮音性能が低下してしまうといった問題点があった。
【０００４】
本発明は、従来の問題点に鑑みてなされたもので、床材と壁との間、あるいは、床材と幅木との間の隙間を小さくした場合でも、床下空気層の共振の発生を抑制して遮音性能を十分に確保することのできる乾式二重床構造を提供することを目的とする。
【０００５】
本発明者らは、鋭意検討を重ねた結果、基礎床であるスラブと床板との間に振動吸収部材を配置して上記床下空気層に体積変化を持たせて、床材から伝達される振動エネルギーを分散して吸収させるようにすれば、上記空気共振音を低減することができることを見いだし、本発明に到ったものである。
すなわち、本発明の請求項１に記載の発明は、基礎床上に床支持具を複数個配置し、これらの床支持具上に床材を配置するとともに、上記床材と壁面との間に所定の隙間を設けて成る乾式二重床において、上記基礎床と上記床材との間に、上記床材から所定の距離を離隔して、振動吸収部材を配置したことを特徴とするものである。
【０００６】
請求項２に記載の発明は、請求項１に記載の乾式二重床において、上記基礎床上に所定の厚さの不織布を敷設して、上記床下空気層に体積変化を持たせるとともに、床材から伝達される振動エネルギーを上記不織布により吸収するようにしたものである。
請求項３に記載の発明は、上記不織布を複数枚敷設するとともに、少なくとも２枚の不織布の厚さを異なる厚さとしたものである。
また、請求項４に記載の発明は、請求項１に記載の乾式二重床において、上記基礎床上に、両端部が弾性部材により支持された板状の部材を配置し、上記床下空気層に体積変化を持たせるとともに、上記板状の部材を振動させて、上記振動エネルギーを吸収するようにしたものである。
請求項５に記載の発明は、上記板状の部材を上記基礎床に対して傾けて配置したものである。
請求項６に記載の発明は、上記板状の部材を複数枚配置したものである。
【発明の効果】
【０００７】
本発明によれば、乾式二重床において、基礎床上に配置された複数の床支持具上に取付けられた床材と壁面との間に所定の隙間を設けるとともに、上記基礎床上に高さ（厚さ）の異なる振動吸収部材を配置したり、両端部が弾性部材により支持された板状の部材を配置したりして、上記床下空気層に体積変化を持たせることにより、床下空気層の振動のエネルギーを分散・吸収させるようしたので、床材と壁との間、あるいは、床材と幅木との間の隙間を小さくした場合でも、空気共振音を大幅に低減することができる。
【発明を実施するための最良の形態】
【０００８】
以下、本発明の最良の形態について、図面に基づき説明する。
最良の形態１． 
図１は、本発明の最良の形態に係る乾式二重床の要部を示す図で、同図において、１０は基礎床であるスラブ、１１は上部に床材１２を取付けるための矩形状の台座１１ａを有する支柱１１ｂと、この支柱１１ｂをスラブ１０上に保持するクッション性を有する防振材１１ｃとを備え、スラブ１０に接地される床支持具、１２は床表面から順に床部材であるフローリング１２Ａ，捨張合板１２Ｂ，パーティクルボード１２Ｃを積層して成る床材、１３は壁、１４は支柱１４ａと台座１４ｂとを介してスラブ１０に接地され、かつ、壁１３表面から２ｍｍ以上離した位置に設置された、上記床材１２の端部を支持する防振際根太、１５は上記壁１３の表面の上記床材１２の直上に上記壁１３に沿って取付けられる幅木、２０は上記床支持具１１，１１間のスラブ１０上に敷設された振動吸収部材である不織布で、本例では、それぞれの厚さｈ1，ｈ2，ｈ3，‥‥である、厚さの異なる複数の不織布２０を敷設した。なお、上記床材１２からの振動（固定伝播音）が壁１３を介して階下に伝達されるのを防止するため、上記床材１２の最表面に位置するフローリング１２Ａの壁１３側の端部１２ｅと壁１３との間、及び、上記フローリング１２Ａと幅木１５との間には、２ｍｍ前後の空気連通路（隙間）１３ｓ，１５ｓが設けられている。
本例では、上記床材１２の下面と上記スラブ１０表面との距離を８０ｍｍとするとともに、上記床支持具１１，１１間の間隔よりも若干幅が狭く、厚さがそれぞれ、ｈ1＝５０ｍｍ，ｈ2＝３５ｍｍ，ｈ3＝２０ｍｍ，‥‥である直方体状の不織布２０を上記スラブ１０上に複数個敷設した。上記不織布２０が敷設されている箇所においては、上記床材１２とスラブ１０間の空気層（床下空気層）の厚さがそれぞれ、３０ｍｍ，４５ｍｍ，６０ｍｍ，‥‥となる。一方、上記不織布２０が配置されていない箇所では、床下空気層）の厚さは、従来の通り８０ｍｍである。
【０００９】
ところで、上記のような乾式二重床構造においては、上記床下空気層による共振周波数ｆｎ（Ｈｚ）は、近似的に、以下の計算式により求められる。
【数１】
2005282273.tif 000003
ｋ  ；床支持具の単位面積当たりのばね定数（Ｎ／ｍ）
ｋａ  ；床下空気層の単位面積当たりのばね定数（Ｎ／ｍ）
ｍ  ；乾式二重床板の単位面積当たりの質量（面密度）（ｋｇ／ｍ2）
ρ  ；空気の密度（ｋｇ／ｍ3）
ｈ  ；床下空気層の厚さ（ｍ）
図２は、上記乾式二重床の各項目の物性値を以下の表１のように設定し、上記式を用いて算出した床下空気層による共振周波数と床下空気層の厚さとの関係を示すグラフで、横軸は床下空気層の厚さｈ（ｍｍ）、縦軸は共振周波数ｆｎ（Ｈｚ）である。
【表１】
2005282273.tif 000004
このグラフから、上記表１の条件下においては、床下空気層の厚さｈが薄いほど上記共振周波数ｆｎが高く、かつ、床下空気層の厚さｈが１００ｍｍよりも薄くなると、上記共振周波数ｆｎが急激に高くなることが分かる。
【００１０】
本例では、床材１２とスラブ１０との距離を８０ｍｍ、上記不織布２０の厚さをそれぞれ、ｈ1＝５０ｍｍ，ｈ2＝３５ｍｍ，ｈ3＝２０ｍｍ，‥‥としたので、不織布２０が配置されている箇所の床下空気層の共振周波数はそれぞれ、６４Ｈｚ，５４Ｈｚ，４５Ｈｚとなり、不織布２０が配置されていない箇所の床下空気層の共振周波数は約４０Ｈｚよりも高くなる。したがって、上記床下空気層が共振した場合でも、上記振動は減衰され易いので、空気共鳴音は小さくなる。
また、上記乾式二重床構造では、振動は、ばね定数がｋの床支持具１１の振動と、不織布２０が配置されていない箇所の空気層の振動、及び、不織布２０が配置されている、それぞれが互いに異なる高い共振周波数を有する空気層の振動、及び、不織布２０自身の振動が重ね合わさった振動となる。したがって、床下空気層に床材１２の振動が伝播された際には、振動のエネルギーが分散されるので、不織布２０がない場合のような大きな共振は発生しない。更に、上記振動はその一部が振動吸収部材である上記不織布２０により吸収されるので、乾式二重床の遮音性能を大幅に向上させることができる。
【００１１】
このように、本最良の形態１では、基礎床であるスラブ１０に接地される、クッション性を有する防振材１１ｃを備えた床支持具１１，１１間のスラブ１０上に、厚さの異なる複数の不織布２０を敷設して、床下空気層の共振周波数を高くするとともに、床下空気層を上記不織布２０が配置されている、互いに異なる共振周波数を有する空気層と、上記不織布２０の配置されていない空気層とに分けて、床下空気層に体積変化を持たせるようにしたので、床材１２の振動が上記床下空気層に伝播されても、床下空気層の共振を十分に抑制することができる。また、上記振動の一部は不織布２０により吸収されるので、簡単な構成で乾式二重床の遮音性能を大幅に向上させることができる。
【００１２】
なお、上記最良の形態１では、不織布２０の厚さを、それぞれ、５０ｍｍ，３５ｍｍ，２０ｍｍ，‥‥としたが、不織布２０の最適な厚さは、床材１２とスラブ１０との距離のみに依存するものではなく、床支持具１１のばね定数や、床材１２を構成するフローリング１２Ａ，捨張合板１２Ｂ，パーティクルボード１２Ｃなどの床材の特性など、乾式二重床の構造により適宜決定されるものである。
また、上記例では、不織布２０の厚さを壁１３側から順に薄くしていったが、不織布２０の配列はこれに限るものではなく、１枚おきに厚くしたりするなどしてもよい。また、床支持具１１，１１間に敷設される不織布２０は１枚に限らず、複数枚としてもよい。なお、この場合にも、不織布２０の厚さ（高さ）を異なるようにすることが望ましい。
【００１３】
最良の形態２．
上記最良の形態１では、スラブ１０上の床支持具１１，１１の間に不織布２０を敷設して、床下空気層の共振を抑制するようにしたが、図３に示すように、不織布２０に代えて、平板状の拡散板３０をスラブ１０に対して傾けて配置してもよい。具体的には、高さの異なる不織布４１，４２上に、例えば、幅が６００ｍｍ、長さが１８００ｍｍ、厚さが１〜２ｍｍの拡散板３０の両端部を載せる。このような、傾斜した拡散板３０を配置することにより、上記拡散板３０が配置された箇所では、上記床材１２とスラブ１０との距離、すなわち、床下空気層の厚さｈが連続的に変化するので、床下空気層が特定の周波数で共振することがない。また、上記拡散板３０は薄板であり、かつ、両端部がそれぞれ不織布４１，４２上に載せられているだけなので、上記不織布２０よりも床下空気層の振動を吸収できる。したがって、乾式二重床の遮音性能を更に向上させることができる。
ここで、上記拡散板３０は必ずしも傾斜させる必要はなく、図４（ａ）に示すように、拡散板３０Ｈをスラブ１０に対して平行に配置した場合でも、床下空気層に体積変化を持たすことができ、かつ、上記拡散板３０Ｈにより、床下空気層の振動を吸収することができるので、遮音性能を十分に向上させることができる。
また、図４（ｂ）に示すように、複数枚の拡散板３０Ｐ，３０Ｑを配置してもよい。このとき、拡散板３０Ｐと床材１２との距離Ｌ１と、拡散板３０Ｑと床材１２との距離Ｌ２とが異なるように、上記拡散板３０Ｐ，３０Ｑを段違いに配置すれば、床下空気層の共振が更に抑制され、乾式二重床の遮音性能を更に向上させることができる。
【産業上の利用可能性】
【００１４】
以上説明したように、本発明によれば、簡単な構成で床下空気層の振動のエネルギーを分散・吸収させることができるので、空気共振音を低減することができ、乾式二重床の遮音性能を十分に確保することができる。
【図面の簡単な説明】
【００１５】
【図１】本発明の最良の形態１に係る乾式二重床の要部断面図である。
【図２】床下空気層厚さとその共振周波数との関係を示すグラフである。
【図３】本最良の形態２に係る乾式二重床の要部断面図である。
【図４】本発明による乾式二重床の他の例を示す図である。
【図５】従来の乾式二重床の要部断面図である。
【符号の説明】
【００１６】
１０  スラブ、１１  床支持具、１１ａ  台座、１１ｂ  支柱、１１ｃ  防振材、
１２  床材、１２Ａ  フローリング、１２Ｂ  捨張合板、１２Ｃ  パーティクルボード、
１２ｅ  床材の端部、１３  壁、１３ｓ，１５ｓ  空気連通路（隙間）、
１４  防振際根太、１４ａ  木材、１４ｂ  防振際根太の支柱、
１４ｃ  防振際根太の台座、１５  幅木、２０  不織布、３０  拡散板。
【図１】
2005282273.tif 000005
【図２】
2005282273.tif 000006
【図３】
2005282273.tif 000007
【図４】
2005282273.tif 000008
【図５】
2005282273.tif 000009